(57)【要約】【課題】配線しても宅内美観を良好に保持し、さらに被覆された光配線ケーブルを宅内壁面に正確にかつ光配線ケーブルを損傷することなく布設させることができる宅内光配線器を提供する。【解決手段】    宅内光配線器の器体はリールテープを回転可能に支持して保持する。器体に回転自在に取り付けられリールテープから引き出されるテープを掛けまわし、さらに光配線ケーブルをテープ幅中間に位置させるようにガイドしかつ光配線ケーブルの直線状配線部に沿うテープの連続直線状引き出しをガイドするように複数のガイドローラが取り付けられている。光配線ケーブルを壁の平面にあてがって光配線ケーブルの外面から配線用テープで壁に貼り付ける。【選択図】図１
2010060955.tif 000002
【特許請求の範囲】
【請求項１】
光配線ケーブルを壁の平面にあてがって光配線ケーブルの外面から配線用テープで壁に貼り付けるための宅内光配線装置であり、
リールテープを回転可能に支持する器体と、
器体に回転自在に取り付けられリールテープから引き出されるテープを掛けまわし、さらに光配線ケーブルをテープ幅中間に位置させるようにガイドしかつ光配線ケーブルに沿うテープの連続直線状引き出しをガイドするよう取り付けられた複数のガイドローラと、を備えたことを特徴とする宅内光配線器。
【請求項２】
ガイドローラは、テープを壁に直接押し付ける押し付け部であって中間に溝状凹部を配して対向配置される２つの押し付け部と、両押し付け部の中間位置に配置され光配線ケーブルの断面外形に対応した凹部と、を連続形成するようにローラ面形状を形成しており、
少なくとも２つの押し付け部が共通軸６２で軸支されてそれぞれ単独で軸周り回転するように支持された複数の分割ローラ体からなることを特徴とする請求項１記載の宅内光配線器。
【請求項３】
第１、第２の押し付け部と１つの凹部を形成する部位が共通軸で軸支されてそれぞれ単独で軸周り回転するように支持された３つの分割ローラ体を含むことを特徴とする請求項２記載の宅内光配線器。
【請求項４】
器体は、リールテープを支持しつつ器体を直線状に引き動かして複数のガイドローラでテープを押えながらケーブル外面から平面壁に貼付させる押さえ把持部を有することを特徴とする請求項１ないし３のいずれかに記載の宅内光配線器。
【請求項５】
器体は、平面状台部と、中間にリール軸を横方向とするようにリールテープを配置して平面状台部との間にリールテープを着脱可能に挟持する突設カバーと、を含むことを特徴とする請求項１ないし４のいずれかに記載の宅内光配線器。
【請求項６】
ガイドローラは、リールテープから引き出されるテープを掛けまわし光配線ケーブルの長手方向に沿うように変向させる変向ガイドローラと、
変向ガイドローラと協働してテープを直線状かつテープ幅中央に光配線ケーブルが配置されるようにテープを位置決めした状態で押え貼付させる押さえガイドローラと、を含むことを特徴とする請求項１ないし５のいずれかに記載の宅内光配線器。
【請求項７】
ガイドローラは、変向ガイドローラを中間に配し、その一方側に押さえガイドローラを配置するとともに、対向する他方側にローラ面の凹部に光配線ケーブルを嵌めながら転動ガイドする先導ガイドローラを取り付けたことを特徴とする請求項６記載の宅内光配線器。
【請求項８】
片手で平面状台部と突設カバーとを握る態様で器体が構成され、
突設カバーがリールテープを挟持する状態で器体に着脱可能に取り付けられるとともに、リールテープの芯孔の側方に離隔して隣接する位置に配置された庇状握り部を有することを特徴とする請求項５ないし７のいずれかに記載の宅内光配線器。
【発明の詳細な説明】
【技術分野】
【０００１】
本発明は、宅内光配線器に係り、特に光通信回線の最終ユーザ建物内での配線作業における宅内光配線器に関する。
【背景技術】
【０００２】
近時、一般ユーザ宅まで光ファイバ伝送路を引き込んで高速デジタル信号送受信を行なうアクセス系光通信網としてのＦＴＴＨ(fiber to the home)が普及しつつあり、今後も一般家庭の情報化の促進に伴い、その布設の加速が予測される。ＦＴＴＨ用伝送路の布設に際しては、図１２に示すように、光回線のドロップ線をユーザ宅の壁の引き込み口１５０に接続または引き通し、さらに引き込み口から光コンセント１５２を介して宅内光回線終端装置(ＯＮＵ:Optical Network Unit)１５４に光配線ケーブル８が接続される。そして、宅内光回線終端装置は、光信号の多重・分離を基礎とした光・電気信号変換によりパーソナルコンピュータ、テレビ、電話などに接続されて高速光通信を行なうようになっている。ところで、ユーザ宅内での光配線ケーブルの具体的な配線に際しては、１つの宅内配線工事に例えば２０メートル長以上の光配線ケーブルが必要であるとされている。これらの配線作業においては図１３に示すケーブル保護管路としての合成樹脂製のワイヤプロテクタ１５６を用いる方法と、光ステップルによる布設方法が知られている。ワイヤプロテクタ１５６は、長板状の台座１５８と、台座に嵌合されて長い管路を形成するカバ体１６０と、で構成され、通常例えば１メートル定尺もので用いられる。ワイヤプロテクタ１５６は例えば、図１４（ｂ）の組付状態の断面大きさが１１．２ｍｍ幅Ｗ×７ｍｍ高さＨである。ワイヤプロテクタ１５６を用いる方法では壁面の配線位置に沿って台座１５８の離型紙を剥がしながら位置合わせ固定し、次に光配線ケーブルを挿入し、その後、カバ体１６０を装着する作業が必要であり、ワイヤプロテクタの壁面固定とワイヤプロテクタへの光配線ケーブル挿入が別作業となり、作業が煩雑で手間がかかり作業時間も長くなるという問題がある。また、壁面から７ミリメートル程の突出高さでワイヤプロテクタが取り付けられるから、ワイヤプロテクタ配線箇所が壁面から完全に浮き出た出来形となり、宅内の美観を損なう。さらに、１メートル長さ程度の多数のワイヤプロテクタ構成材料を宅内に持ち込んで作業する必要があり、嵩張って運搬上不便であるうえに壁面への取り付け作業時に作業場所近くに仮に置いておく場合に配線作業自体の邪魔となる問題があった。さらに、光ステップルによる場合には、光配線ケーブルの長手方向に数十センチメートル間隔ごとにケーブルの上からまたがるようにして壁面に固定されるものであり、配線後の宅内美観が劣り、工事出来形に難点があるばかりでなく、ステップルにより数十センチメートル間隔ごとに壁面に点状に止めるだけであるから、止められていない部分が室内備品等に引っかかったり、緩んでたるみや曲がりが出たりするおそれがあった。これに対し、光ファイバを粘着テープ等で直に壁面に貼着固定する方法が特許文献１に開示されている。
【特許文献１】特開平６−５９１３７号公報
【発明の開示】
【発明が解決しようとする課題】
【０００３】
特許文献１は、長手方向に寸断された多数の接着又は粘着テープをリール軸に沿う方向に多数巻き付け収容したリールを準備し、接着又は粘着テープを繰り出しながら長さが短い多数の寸断テープを光ファイバの長さ方向に直交するように間隔をあけて光ファイバの上から壁面に接着させることにより光ファイバを布設させるものである。しかしながら、この特許文献１の例えば図１、図３の方法では、ファイバの長手方向に直交方向に貼る多数の接着テープを同直交方向となるように間隔をあけてリールに収納したものを準備作成する作業が煩雑で手間がかかり、結局装置全体のコスト高となる。また、１つの固定ローラー（１６）を光ファイバ（１１）に押し当てながら移動するだけであるから、光ファイバの布設線が定まりにくく最終的に光ファイバが曲げられたり、捻じられた状態で配線されるおそれがあり、放射損失等の伝送損失を生じるおそれがある。また、特許文献１の装置では、寸断テープをリールに収納し保持した状態で固定ローラ（１６）を移動しながら寸断テープを壁に貼るようになっているが、収納リール１４から引き出されて固定ローラに移動する際に微細なテープがはがれたり、位置ずれを起こしやすく、その後のローラ間の移動時に粘着面がこれらに付着してローラの転動を阻害し、使用困難となり使用時の動作が不安定である。また、図３の方法では光ファイバリール（２３）と接着テープリール（２４）を同期回転しながら同時に繰り出すようにしているが、外力に弱い光ファイバをこのような方法で繰り出すことはファイバの損傷、切断等を起こしやすい。また、接着テープリール（２４）、台紙巻き取りリール（２８）のほかに押さえローラ（２５）、押え用スタンパ（２７）を別途に配置させて機能させるようにしており、これでは光ファイバ（２３）の繰り出し装置構成を考慮すると、装置が大型化、重量化する問題がある。さらには、図４の方法でも光ファイバと接着テープとの同期繰り出し装置を含め、装置の具体的な構成は示されておらず、また、送り出しローラ３７の均一な円筒面で光ファイバを下面に敷いた状態で寸断テープの上からじかに押しつけるから光ファイバを損傷しやすい上に、光ファイバの布設線も一定しにくく、伝送損失を生じやすい問題がある。
【０００４】
本発明は上記従来の課題に鑑みてなされたものであり、その目的は、配線しても宅内美観を良好に保持し、さらに被覆された光配線ケーブルを宅内壁面に布設線に沿って安定して正確にかつ光配線ケーブルを損傷することなく布設させることができる宅内光配線器を提供することにある。また、本発明の他の目的は、短時間で正確に布設線に沿って光配線ケーブルを布設させることができる宅内光配線器を提供することである。
【課題を解決するための手段】
【０００５】
上記の目的を達成するために、本発明は、光配線ケーブルを壁の平面にあてがって光配線ケーブルの外面から配線用テープで壁に貼り付けるための宅内光配線装置であり、リールテープ４０を回転可能に支持する器体１２と、器体１２に回転自在に取り付けられリールテープ４０から引き出されるテープ４０５を掛けまわし、さらに光配線ケーブル８をテープ幅中間に位置させるようにガイドしかつ光配線ケーブル８に沿うテープ４０５の連続直線状引き出しをガイドするよう取り付けられた複数のガイドローラ１４（１４２、１４４、１４６）と、を備えた宅内光配線器１０から構成される。リールテープ４０は１本の帯状テープを多重巻きに巻回して芯孔付きのリール状に形成したものであり、連続する帯状テープとして引き出しながら光配線ケーブルの例えば全長にわたってテープを被覆した状態で帯状に壁に貼着固定させる。ガイドローラは２個のみでもよいし３個以上設けても良い。
【０００６】
ガイドローラは、テープを壁に直接押し付ける押し付け部であって中間に溝状凹部を配して対向配置される２つの押し付け部と、両押し付け部の中間位置に配置され光配線ケーブルの断面外形に対応した凹部と、を連続形成するようにローラ面形状を形成しており、少なくとも２つの押し付け部が共通軸６２で軸支されてそれぞれ単独で軸周り回転するように支持された複数の分割ローラ体（３、３）からなるとよい。
【０００７】
また、第１、第２の押し付け部５，５と１つの凹部６を形成する部位が共通軸６２で軸支されてそれぞれ単独で軸周り回転するように支持された３つの分割ローラ体（３、４）を含むとよい。
【０００８】
また、器体１２は、リールテープ４０を支持しつつ器体１２を直線状に引き動かして複数のガイドローラ１４２，１４４，１４６でテープ４０５を押えながらケーブル外面から平面壁Ｗに貼付させる押さえ把持部１６を有するとよい。
【０００９】
また、器体１２は、平面状台部２４と、中間にリール軸１００を横方向とするようにリールテープ４０を配置して平面状台部２４との間にリールテープ４０を着脱可能に挟持する突設カバー４４と、を含むとよい。
【００１０】
また、ガイドローラ１４は、リールテープ４０から引き出されるテープを掛けまわし光配線ケーブル８の長手方向に沿うように変向させる変向ガイドローラ１４２と、変向ローラ１４２と協働してテープを直線状かつテープ幅中央に光配線ケーブル８が配置されるようにテープ４０５を位置決めした状態で押え貼付させる押さえガイドローラ１４４と、を含むとなおよい。
【００１１】
また、ガイドローラ１４は、変向ガイドローラ１４２を中間に配し、その一方側に押さえガイドローラ１４４を配置するとともに、対向する他方側にローラ面の凹部６に光配線ケーブル８を嵌めながら転動ガイドする先導ガイドローラ１４６を取り付けるとよい。
【００１２】
さらに、片手で平面状台部２４と突設カバー４４とを握る態様で器体１２が構成され、突設カバー４４がリールテープ４０を挟持する状態で器体１２に着脱可能に取り付けられるとともに、リールテープ４０の芯孔４２の側方に離隔して隣接する位置に配置された庇状握り部４１６を有するとよい。
【発明の効果】
【００１３】
本発明の宅内光配線器によれば、光配線ケーブルを壁の平面にあてがって光配線ケーブルの外面から配線用テープで壁に貼り付けるための宅内光配線装置であり、リールテープを回転可能に支持する器体と、器体に回転自在に取り付けられリールテープから引き出されるテープを掛けまわし、さらに光配線ケーブルをテープ幅中間に位置させるようにガイドしかつ光配線ケーブルに沿うテープの連続直線状引き出しをガイドするよう取り付けられた複数のガイドローラと、を備えた構成であるから、１本の帯テープを多重巻きしたリールテープを帯テープとして引き出しながら宅内壁面の布設線に沿って安定して正確にかつ光配線ケーブルを損傷することなく布設させることができる。また、光配線ケーブルの長手方向に連続した帯テープで壁面に貼着固定させるから出来形が良好で室内意匠観を良好に保持し得る。さらに、装置が簡単でかつ小型軽量であり、さらに、器体を片手で把持しながら一人の作業者により短時間でケーブル布設作業をおこなうことができる。
【００１４】
また、ガイドローラは、テープを壁に直接押し付ける押し付け部であって中間に溝状凹部を配して対向配置される２つの押し付け部と、両押し付け部の中間位置に配置され光配線ケーブルの断面外形に対応した凹部と、を連続形成するようにローラ面形状を形成しており、少なくとも２つの押し付け部が共通軸６２で軸支されてそれぞれ単独で軸周り回転するように支持された複数の分割ローラ体からなる構成であるから、ローラ面で帯テープを中間に挟んで凹部に光配線ケーブルを嵌めた状態で器体を移動させる際に光配線ケーブルの曲り部分などがある場合に内回り側と外周り側とで周回半径が異なる場合にも内外の曲がり部分が単独回転するから器体の移動をスムーズに行なうことができ、光配線ケーブルの損傷等を生じさせることを防止し得る。
【００１５】
また、第１、第２の押し付け部と１つの凹部を形成する部位が共通軸で軸支されてそれぞれ単独で軸周り回転するように支持された３つの分割ローラ体を含む構成であるから、帯テープの上からの両押し付け部に加えて中間の凹部側のローラ体も単独回転し、さらに円滑に光配線ケーブルに沿った移動による光配線ケーブルの壁面へのテープ貼着を行なえる。
【００１６】
また、器体は、リールテープを支持しつつ器体を直線状に引き動かして複数のガイドローラでテープを押えながらケーブル外面から平面壁に貼付させる押さえ把持部を有する構成であるから、１つのリールテープを用いて片手操作で円滑に光配線ケーブルに沿った移動による光配線ケーブルの壁面へのテープ貼着を行なえる。
【００１７】
また、器体は、平面状台部と、中間にリール軸を横方向とするようにリールテープを配置して平面状台部との間にリールテープを着脱可能に挟持する突設カバーと、を含む構成であるから、１本の連続帯状テープの多重巻きのリールテープを保持し、該テープを繰り出しながら光配線ケーブルの長手方向に連続する帯状テープによる壁への貼着固定を具体的に実現し得る。
【００１８】
また、ガイドローラは、リールテープから引き出されるテープを掛けまわし光配線ケーブルの長手方向に沿うように変向させる変向ガイドローラと、変向ガイドローラと協働してテープを直線状かつテープ幅中央に光配線ケーブルが配置されるようにテープを位置決めした状態で押え貼付させる押さえガイドローラと、を含む構成であるから、１本の連続帯状テープの多重巻きのリールテープから引き出しながら布設すべき光配線ケーブルにガイドさせつつ光配線ケーブルの長手方向に連続する帯状テープによる壁への貼着固定を行なえる。また、帯状テープの光配線ケーブルへの位置合わせ作業が簡単で短時間で行え、また布設作業も簡単に行なえるから全体の作業時間短縮、作業工程の簡略化、作業効率の向上に資する。
【００１９】
また、ガイドローラは、変向ガイドローラを中間に配し、その一方側に押さえガイドローラを配置するとともに、対向する他方側にローラ面の凹部に光配線ケーブルを嵌めながら転動ガイドする先導ガイドローラを取り付けた構成であるから、光配線ケーブルへの器体の位置合わせを光配線ケーブル自体への装着で実現し、さらに安定して仕上がりの良好な光配線ケーブルの長手方向に連続する帯状テープによる壁へのケーブル布設を行なえる。
【００２０】
また、片手で平面状台部と突設カバーとを握る態様で器体が構成され、突設カバーがリールテープを挟持する状態で器体に着脱可能に取り付けられるとともに、リールテープの芯孔の側方に離隔して隣接する位置に配置された庇状握り部を有する構成であるから、１本の連続帯状テープの多重巻きのリールテープを用いながら、これを器体に無理なく装着し、さらに壁へのケーブルさらにはテープの貼着布設時に単に握り部を把持した状態による楽な操作で簡単にテープを繰り出しながら光配線ケーブルの長手方向に連続する帯状テープによる壁への貼着固定作業を行える。
【発明を実施するための最良の形態】
【００２１】
次に、添付図面を参照して本発明に係る宅内光配線器の実施の形態を詳細に説明する。本実施形態に係る宅内光配線器は、連続する帯状テープを多層巻きに巻回したリールを保持しつつリールから繰り出しながら作業者の片手操作で光配線ケーブルを壁面に短時間で良好な出来形でテープ貼着させる装置である。
【００２２】
図１ないし図９は、実施形態の宅内光配線器１０を示しており、図１において、宅内光配線器１０は、器体１２と、複数のガイドローラ１４と、を備えている。器体１２は、その一部である押さえ把持部１６を介して作業者の片手で把持し得る程度の大きさで形成され、複数の合成樹脂成型品を組み合わせて全体重量が軽量に構成されている。そして、器体を作業者が片手で把持してそのまま直線状に引き動かすだけで光配線ケーブルを布設線に沿って宅内壁面に確実にテープ貼着させることができる。
【００２３】
図１，２，５に示すように、宅内光配線器１０の器体１２は、本体板１８の片面側に複数の突出部を形成させた全体として小型で薄形の（図３、図４参照）支持体からなり、図に示すように本体板１８の上部にリールテープの保持部を有するとともに、下部には３個のガイドローラ１４をそれぞれ走行面が同じとなるように直線状に離隔配置して転動自在に支持する３個のローラ支持部２０を備えている。図２正面図に示すように、本体板１８は、上向き凸の円弧状部１８２と、直線状に離隔配置され脚状に下方に伸びる３個のローラ支持部２０と、を１つのプラスチック成型体により一体として有する形状であり、円弧状部の内側には例えば全高の２分の１弱程度の直径の円形打抜き孔２２が形成されている。
【００２４】
図１、図３において、器体１２の本体板１８の一面側Ｄ１（図２の裏面側）は平面が形成された平面状台部２４を形成している。そして、本体板１８の他面側Ｄ２にはテープ保持部２６と、３個のローラ支持部２０と、が形成されている。器体１２のテープ保持部２６は、リール受け２８と、リール押え３０と、を含む。リール受け２８は本体板１８のうち抜き孔２２の孔縁において本体板１８から直角状に突設する短円筒部からなり、この短円筒部にその芯孔を介してリールテープが着脱自在に外嵌される。リール受け２８の短円筒部の内壁側には略１８０度対向位置において位置決め用のピン受け部３２と、ビス突設部３４とが内側に向けて突設形成されている。ピン受け部３２にはピン受け穴３６がＤ２側に開口して設けられている。また、ビス突設部３４には、螺子軸３８がＤ２側に一部を突出するように埋込固定されている。
【００２５】
リールテープ４０は、図５，９，１０に示すように、例えば数十メートル巻きの１０ｍｍ幅程度の芯孔４２を有する１本の帯状テープのリール巻き体のテープが適用される。このリールテープ４０は、例えば、汎用される塩化ビニル系の壁紙、その他の内装壁に対して強固な粘着力で壁面に貼着される内壁固定用の専用合成樹脂製テープからなる。リールテープ４０は、本体板１８から横方向に突設した本体板１８の短円筒部の外周側に側方から装着離脱自在に外嵌される。外嵌された状態では短円筒部を軸にしてフリーに回転するのではなく、摩擦を伴いながら回転するようにある程度テープの先端を引き出す方向に力を加えないと回転しない程度の嵌め合いスキマで回転するようになっている。このリールテープ４０は、図５に示すように、リール軸１００を横方向とするようにリールを立てた状態で側面側から短円筒部に挿脱自在に装着される。
【００２６】
リール押え３０は、リールテープ４０がリール受け２８の短円筒部から離脱しないように保持させるテープリールの側部押さえ手段であり、実施形態において、図５に示すように、リール受け２８の短円筒部にリールテープ４０を外嵌させた状態で、さらにその外側面から被嵌して本体板１８側に連結する突設カバー４４から形成されている。
【００２７】
実施形態において、突設カバー４４は、リール受け２８を介してリールテープ４０を保持させた器体１２の円弧状部の上半部程度を覆うように被嵌される容器状の薄肉合成樹脂成形体からなる。すなわち、突設カバー４４は、リール受け２８にリールテープ４０を装着した状態でリールテープ４０の回転移動に干渉しないように円弧状部から打抜き孔２２の上半部程度を覆うカバー部４１０と、カバー部４１０に一体接続されてリール受け２８の短円筒部の端部に当接する半円弧リブ部４１２と、を有する。半円弧リブ部４１２には、固定部材５２による外部固定時のピン３８挿通用の挿通孔５０を形成する受け片４１４が円弧の内側に突設されている。突設カバー４４は、リールテープ４０を挟持する状態で本体板１８側に着脱可能に取り付けられる。そして、リールテープ４０の芯孔４２から側方に離隔した隣接位置に庇状握り部４１６を形成している。すなわち、実施形態においてカバー部４１０は、本体板１８から側方に突出する部分とそれに一体接続して本体板１８に平行な平面を形成する部分を有して庇状に突設しており、その平行平面部分の端部が庇状握り部４１６とされ、この部分が指掛け部とされる。該突設カバー４４の被覆内側には支持台４６を介して対向する本体板１８側に突設し、ピン受け部３２のピン受け穴３６内に挿嵌される位置決め用ピン４８と、ビス突設部３４の螺子軸３８にその一部が突出するように挿通され半円弧リブ部４１２に形成された挿通孔５０と、が設けられている。図４のように、これらを嵌合させた状態で、さらに外部から蝶ナットなどの固定部材５２で固定することにより、テープ保持部２６において、リールテープ４０を離脱しないように保持させる。また、テープの交換装着時には、固定部材５２を取り外して簡単に交換させることができる。
【００２８】
さらに、器体１２は、押さえ把持部１６を備えている。押さえ把持部１６は、リールテープ４０を支持しつつ器体１２を直線状に引き動かして後述する複数のガイドローラ１４でテープを押えながらケーブル外面から平面壁に貼付させる押さえ把持手段であり、本実施形態では、突設カバー４４が押え把持部１６を兼用している。すなわち、押え把持部１６は、例えば親指、その他の指で器体の一部を掴んだ状態で器体をある程度の力で壁面方向に押えながら同時に器体を壁面と平行な一方向に引き動かすことのできる部位であり、例えば器体の平面状台部２４（Ｄ１側）に親指を掛け、指股部を突設カバー４４の上から渡して他の指をテープ保持部２６側の突設カバー４４の庇状握り部４１６に掛けて確実に器体１２全体を操作可能に把持させる。さらに、このとき、突設カバー４４の庇状握り部４１６は、リール受け２８の円筒状部の打抜き穴２２の対向し側面側に離隔した位置に存在するから親指あるいは親指以外の他の指による器体の握り状態において、器体側と干渉するものがなく、押え把持、器体の引き移動操作を簡単、円滑に行うことができる。なお、本実施形態において、本体板１８、突設カバー４４、ガイドローラ１４は合成樹脂成型品を組み付けて構成しているが、軽金属、軽量な金属、木製、竹製、紙製、それらの組合せによっても構成し得る。
【００２９】
図１ないし図６、図９、図１０において、器体１２の下部側に複数のガイドローラ１４が取り付けられている。ガイドローラ１４は、回転可能に支持したリールテープ４０からテープを繰り出し案内し、さらに、テープの繰り出し軌道、光配線ケーブル８の幅方向中央位置、を決めながら直接にテープを壁面に押し付けて貼着させる。すなわち、複数のガイドローラは、器体に回転自在に取り付けられたリールテープから引き出されるテープを掛けまわし、さらに光配線ケーブルをテープ幅中間に位置させるようにガイドしかつ光配線ケーブルの直線状配線部に沿うテープの連続直線状引き出しをガイドするテープの案内手段である。
【００３０】
実施形態において、変向ガイドローラ１４２と、押さえガイドローラ１４４と、先導ガイドローラ１４６の３個のガイドローラがそれぞれローラ支持部２０、２０、２０において転動自在に支持されている。３個のガイドローラは直線状に離隔配置されており、中央が変向ガイドローラ１４２、器体の走行後方側が押さえガイドローラ１４４、器体の走行前方側が先導ガイドローラ１４６とされる。
【００３１】
変向ガイドローラ１４２は、リールテープ４０から引き出される帯テープ４０５を掛けまわし光配線ケーブル８の長手方向に沿うように変向させる変向案内手段であり、図１，２，９，１０において、リール軸を横方向とするように立てて配置された円形のリールテープの最下部の真下位置に配置され、上方位置から引き出される帯テープ４０５を掛けまわして鋭角状に周回させ壁面Ｗｆに沿う方向に引き出し案内する。
【００３２】
また、押さえガイドローラ１４４は、変向ローラ１４２と協働して帯テープ４０５を直線状かつテープ幅中央に光配線ケーブル８を配置させるようにテープを位置決めした状態で押さえ貼付させるテープのケーブルに対する位置決め、押さえ貼付手段であり、宅内光配線器において、変向ガイドローラ１４２とともに、該押さえガイドローラ１４４は少なくとも必要なガイドローラである。押さえガイドローラ１４４は、器体の走行後方側に変向ローラと離隔位置に配置され、これらの両転動ローラ面は同じ平面に等しい面圧で当接するように回転軸及び回転、走行軌道を一致させて位置合わせ配置されている。
【００３３】
さらに、本実施形態において、変向ガイドローラ１４２に対して器体の走行前方側に離隔配置され、光配線ケーブル８の布設線に沿って器体１２の走行を先導案内する先導ガイドローラ１４６が設けられている。先導ガイドローラ１４６は、変向ガイドローラ１４２と同様に、そのローラ面は同じ平面に等しい面圧で当接するように回転軸及び回転、走行軌道を一致させて位置合わせ配置されている。すなわち、３つのガイドローラは、同じ方向に回転軸を配置し、さらに同じ回転軌道を走行するようにローラ面が設置されている。先導ガイドローラ１４６は、他の２つのガイドローラと同じ構造のローラ及びローラ面形状を有しており、後述するようにローラ面の凹部に光配線ケーブルを嵌めながら転動ガイドする。
【００３４】
器体１２の下部であって、本体板１８に離隔直線状に配置された３つのローラ支持部２０にそれぞれのガイドローラ１４２、１４４、１４６が転動自在に取り付けられている。ローラ支持部２０は、本体板１８の３つの脚部５６のそれぞれの下部に設置された支持ユニットであり、実施形態において、本体板１８側から側方に突設された支持ピン５８と、支持ピンの突設端側で固定されて本体板１８と面が平行となるように固定された支持板６０と、支持板６０と平行板１８とに両端を固定されたローラ軸６２と、を含む。なお、変向ガイドローラ１４２についての支持板６０の一部はリールテープから帯テープ４０５としてテープ先端側を引き出して変向する際の幅決め機能を有する。
【００３５】
ローラ面は、同じ平面に等しい面圧で当接するように回転軸及び回転、走行軌道を一致させて位置合わせ離隔直線状、かつ同一横方向を転動軸として配置された３つのガイドローラ１４２、１４４、１４６は、本実施形態において同一の構成であり、例えばその詳細を変向ガイドローラ１４２を例として説明する。
【００３６】
図４，６において、変向ガイドローラ１４２は、幅方向に３分割された３個の分割ローラ体を組み付けて構成されている。詳しくは、変向ガイドローラ１４２は、ローラ支持部２０のローラ軸６２に挿嵌されて回転自在に支持された筒体からなるカラー２と、カラー２に軸孔を挿通させて遊転自在に支持された分割ローラ体としての２つの第１狭幅ローラ３，３と、両狭幅ローラ３，３間に挟装されてカラー２に遊転自在に支持された分割ローラ体としての第２狭幅ローラ４と、を含む。３つのローラ体は断面が円形でそれぞれのローラ幅は１つのガイドローラの全幅よりも小さい幅で形成されている。中央の第２狭幅ローラ４は、第１狭幅ローラ３に比べてローラ径が小さく設定されている。したがって、３個の狭幅ローラを組み付けた状態では、図６に示すように、そのローラ面は両側が高い平坦部を有するとともに中央に凹部を形成し中央部に矩形の溝を形成した構成となっている。溝の両側の平坦面を有する第１狭幅ローラ３は、テープを壁に直接押し付ける押し付け部であって中間に溝状凹部を配して対向配置される２つの押し付け部５を形成するとともに、第２狭幅ローラ４が両押し付け部５の中間に配置され光配線ケーブル８の断面外形に対応した凹部６を形成する。そして、３つの狭幅ローラ３，４は、共通軸で軸支されて相互に単独で軸周り回転しつつ相互に密着状に組みつけられてローラ面を連続形成するように取り付けられている。これによって、変向ガイドローラ１４２は、帯テープ４０５を引き出し変向させ、押さえガイドローラ１４４側に延長し引き出した帯テープ４０５の幅中央に光配線ケーブル８が位置するように決めながらケーブルを壁面にテープ貼着する。ガイドローラの凹部形状は、布設する光配線ケーブルの外形形状に対応した凹部形状とするように、ローラ構成を設定するとよい。この際、ローラ軸を螺子軸などから構成すれば、取り外して第１、第２狭幅ローラのローラ幅や径を異ならしめた分割ローラと交換することにより、簡単にケーブル側の形状に応じたローラ構成とすることができる。ガイドローラは、中間に凹部６を形成する態様で、その凹部を挟んでその両側に配置される２つの押し付け部５，５を有する第１狭幅ローラ３、３を共通軸６２で軸支してそれぞれ単独で軸周り回転するように支持した構成とすることもできる。この場合、中間の凹部は軸側に固定して自由回転しないようにしてもよい。
【００３７】
次に、実施形態の宅内光配線器１０の作用について図１０ないし図１４も参照しつつ説明する。例えば図１２の本線から分岐したドロップ線１１０を加入者宅の引き込み口１５０に設けた図示しない接続装置（ＴＭＣ）を介して宅内に引き込み、宅内では光配線ケーブル８を指示された布設線に沿って配置しながら、例えば光コンセント１５２まで延長させて壁面にテープ貼着させていく。ここで、光配線ケーブルとしては単芯あるいは複数芯の芯構成の光ファイバをテンションメンバなどの鋼線や繊維強化プラスチック（ＦＲＰ）とともに難燃ポリオレフィン等の被覆材で被覆したケーブルが知られている。例えば実施形態の光配線ケーブル８は、図１４（ｂ）のように、断面での幅Ｗが３ｍｍ、高さＨが２ｍｍ程度の略矩形状のケーブル外形であり、この上に直接にテープを貼着しても壁面から４ｍｍ〜５ｍｍ程度の突出高でしかもテープで連続直線の帯の出来形となるから、極めてスッキリしたシンプルで良好な美観が得られる。なお、図１４（ａ）、（ｂ）は図上、実寸で示している。
【００３８】
図５ないし図８のような部品構成で組み付けてテープの軸を横方向として、テープを立てた状態でテープ保持部２６に保持させる。作業に際しては光配線ケーブル８の布設先側を布設線に沿って引いてやや張った状態に保持し、その状態で他の片手Ｇにより押さえ把持部１６の円弧状部１８２と突設カバー部分を握る（図９）。この状態で、先端をリールテープ４０から引き出して帯テープ４０５とし、変向ガイドローラ１４２を掛けまわして係合し、さらに押さえガイドローラ１４４のローラ下面に当るように先端を若干引き出す。帯テープ４０５の上面を変向ガイドローラ１４２及び押さえガイドローラ１４４の下面に同時にあてがうようにした状態で壁面に係止した光配線ケーブル８にガイドローラ１４２，１４４，１４６の凹部６を当てて壁面側に押し付ける。このとき、図７（ａ）、（ｂ）のように、帯テープ４０５の幅方向中央部が光配線ケーブル８の凸型とガイドローラの溝としての凹部６の凹型とにより成型されるように両押し付け部５の中央部を矩形に突設させるように変形する。これによって、帯テープ４０５は光配線ケーブル８の底面を除く天面と両側面に粘着部が付いて３面で貼着し、さらにその帯テープ４０５の幅方向両側の延長側が押し付け部５により壁面に押し付けられて、貼着される。この状態で、図１０のように先導ガイドローラ１４６の凹部６に光配線ケーブル８を嵌める状態を維持しながらケーブルの布設延長方向に向けて壁面に平行に器体１２を引き動かすと、ガイドローラ１４２，１４４、さらにガイドローラ１４６により、光配線ケーブル８に沿って確実に移動するように器体１２全体を維持しつつ案内する。しかも、離隔直線状に配置されたガイドローラの凹部に光配線ケーブルが嵌め合う状態で器体を移動させるから、常に光配線ケーブルを例えば真直ぐな直線状の布設線に沿った延長状態に保持しながら器体を移動させることとなり、ケーブル自体の直線状の布設も正確に行なうことができる。
【００３９】
各ガイドローラ１４２，１４４，１４６は、それぞれ３つの回転部材としての第１、第２狭幅ローラ３，３，４を単独で回転自在として組みつけているから、光配線ケーブルの曲り部分やわずかな角度変化がある場合でも円滑に転動することができ、一体形ローラに比較してローラ面が摩擦で転動しない状態で外力に弱い光配線ケーブルを損傷、折損、捩りなどで傷つけることを防止し得る。具体的には、例えば光配線ケーブルに曲り部分がある場合には、曲がりの中心側と外側とではローラ面での摩擦力の大きさが異なり、しかもテープは高い粘着性のため、いったん壁面に貼着すると修正は困難となる。上記のような分割ローラ構成とすることでローラ面の内外並びに光配線ケーブルの嵌合凹部部分がそれぞれ単独で回転し、ローラの円滑な回転を確保する。
【００４０】
本発明の宅内配線器は、上記した実施形態にのみ限定されるものではなく、本発明の本質を逸脱しない範囲において任意の変更を加えても本発明に含まれる。例えば、ガイドローラの数を増減させてもよい。また、器体の具体的な外形形状は任意に構成できる。また、ガイドローラの凹部形状は、施工すべき光配線ケーブルの規格に対応した外形形状に対応した凹部形状とするように、ローラ構成を設定するだけでよい。
【産業上の利用可能性】
【００４１】
本発明の宅内光配線器は、加入者宅内での光配線ケーブルの布設が主な利用用途であるが、テープの粘着性や壁面側との関係が改善されて宅外で施工される場合にも有効に適用可能である。
【図面の簡単な説明】
【００４２】
【図１】本発明の実施形態に係る宅内配線器の全体斜視図である。
【図２】図１の宅内配線器の正面図である。
【図３】図２の宅内配線器の側面図である。
【図４】図３の宅内配線器の縦断面図である。
【図５】図１の宅内配線器の分解斜視図である。
【図６】図１の宅内配線器のガイドローラ及びその支持部分の一部省略拡大断面図である。
【図７】（ａ）、（ｂ）は、リールテープとガイドローラ面と光配線ケーブルとの押し当て作用説明図である。
【図８】図６のガイドローラ及びその支持構造の分解斜視説明図である。
【図９】図２の宅内配線器の作用説明図である。
【図１０】図９の宅内配線器の作用説明図である。
【図１１】器体の引き動かし時の光配線ケーブルと帯テープの貼着状態を示す作用説明図である。
【図１２】宅内ケーブル配線概略構成図である。
【図１３】従来の宅内光配線ケーブルの布設状態の一部省略斜視説明図である。
【図１４】（ａ）は、実施形態で適用される単芯形光配線ケーブルの断面図、（ｂ）は、従来のワイヤプロテクタ内に挿入した光配線ケーブルの断面説明図である。
【符号の説明】
【００４３】
３  第１狭幅ローラ
４  第２狭幅ローラ  
５  押し付け部
６  凹部
８  光配線ケーブル
１０  宅内配線器
１２  器体
１４  ガイドローラ
１６  押え把持部
１８  本体板
２０  ローラ支持部
２６  テープ保持部
４０  リールテープ
４４  突設カバー
６２  ローラ軸
１００  リール軸
１４２  変向ガイドローラ
１４４  押えガイドローラ
１４６  先導ガイドローラ
４０５  帯テープ
４１０  カバー部
４１６  庇状握り部
【図１】
2010060955.tif 000003
【図２】
2010060955.tif 000004
【図３】
2010060955.tif 000005
【図４】
2010060955.tif 000006
【図５】
2010060955.tif 000007
【図６】
2010060955.tif 000008
【図７】
2010060955.tif 000009
【図８】
2010060955.tif 000010
【図９】
2010060955.tif 000011
【図１０】
2010060955.tif 000012
【図１１】
2010060955.tif 000013
【図１２】
2010060955.tif 000014
【図１３】
2010060955.tif 000015
【図１４】
2010060955.tif 000016